(57)【要約】【課題】  連続紙葉タイプのものにおいてその各頁毎の写真挿入部の傍に記載を行うことができるようにする。【解決手段】  長手方向に沿って一定間隔で交互に反対向きに折り畳まれ、左右方向に見開き可能な長尺シート２と、該長尺シート２の各頁毎に、少なくとも山折り状外側の帯状範囲４を残して貼着され、長尺シート２との間で１または２以上の写真挿入部３ａを形成する透明または半透明な写真押さえ片３とを具備し、各頁における上記帯状範囲４に記載欄５が設けられている。【選択図】      図１
2006103085.tif 000002
【特許請求の範囲】
【請求項１】
長手方向に沿って一定間隔で交互に反対向きに折り畳まれ、左右方向に見開き可能な長尺シートと、
該長尺シートの各頁毎に、少なくとも山折り状外側の帯状範囲を残して貼着され、長尺シートとの間で１または２以上の写真挿入部を形成する透明または半透明な写真押さえ片とを具備し、
各頁における上記帯状範囲に記載欄が設けられていることを特徴とするアルバム台紙。
【請求項２】
前記写真押さえ片が各頁における左右方向の中央部に貼着され、その写真押さえ片の両側に前記記載欄が設けられていることを特徴とする請求項１に記載のアルバム台紙。
【請求項３】
前記写真挿入部が各頁毎に左右方向と直交する方向に複数設けられ、各写真挿入部に対して前記記載欄が配されていることを特徴とする請求項１または２に記載のアルバム台紙。
【請求項４】
前記写真挿入部のそれぞれは写真挿入口を有し、その写真挿入口は見開き状態の２頁分の中心に位置する谷折り側に配されていることを特徴とする請求項１乃至３のいずれかに記載のアルバム台紙。
【請求項５】
前記各頁毎に、見開き状態の２頁分の中心に位置する谷折り側に綴じ穴が形成されていることを特徴とする請求項１乃至４のいずれかに記載のアルバム台紙。
【請求項６】
請求項５に記載のアルバム台紙を綴じるファイルを備えることを特徴とするアルバム。
【請求項７】
請求項１乃至４のいずれかに記載のアルバム台紙を製造する方法であって、
長尺シートが巻回されたロールから長尺シートを少しずつ解いて一定方向に送る工程と、
透明または半透明の長尺な写真押さえ片用第２シートが巻回されたロールから第２シートを少しずつ解いて、その解いた第２シート部分を、上記一定方向に送られる長尺シート部分に対して重ねて貼着する貼着工程と、
上記長尺シート部分に対して貼着された第２シート部分に、各頁毎の写真押さえ片を形成するための無端状の切り目を形成する工程と、
上記切り目の内側第２シート部分を写真押さえ片として残して切り目外側部分を剥がす工程と、
上記切り目外側部分が剥がされた長尺シートを、該切り目外側部分を一定間隔で交互に反対向きに折り畳み、各頁における写真押さえ片の少なくとも山折り側の帯状範囲に記載欄を設ける工程とを含むことを特徴とするアルバム台紙製造方法。
【請求項８】
前記貼着工程よりも上流側で、前記一定方向に送られる長尺シート部分に対して前記第２シート貼着用の糊を付着させる工程を更に含むことを特徴とする請求項７に記載のアルバム台紙製造方法。
【発明の詳細な説明】
【技術分野】
【０００１】
本発明は、アルバム台紙、アルバム及びアルバム台紙製造方法に関する。
【背景技術】
【０００２】
上述したアルバム台紙として、長尺シートを一定間隔で互いに反対向きに折り畳んだ連続紙葉タイプで、各頁毎に透明シートが貼着されたものが知られている（特許文献１参照）。
【０００３】
このアルバム台紙は、長尺シートを折り畳んだ各頁部分と透明シートとの間の袋状の写真挿入部に写真が挿入され、同時に２頁分が見開きできるように構成されている。
【特許文献１】実開平０６−０３２０７０号公報
【発明の開示】
【発明が解決しようとする課題】
【０００４】
ところで、上述したアルバム台紙においては、透明シートが各頁のほぼ全域に近い領域にわたり貼着されているため、撮影場所などをメモする記載欄が特別用意されていないため、記載を行うことができないでいた。
【０００５】
本発明は、このような従来技術の課題を解決するためになされたもので、連続紙葉タイプのものにおいてその各頁毎の写真挿入部の傍に記載を行うことができるアルバム台紙、そのアルバム台紙を綴じたアルバム及びアルバム台紙製造方法を提供することを目的とする。
【課題を解決するための手段】
【０００６】
請求項１の発明のアルバム台紙は、長手方向に沿って一定間隔で交互に反対向きに折り畳まれ、左右方向に見開き可能な長尺シートと、該長尺シートの各頁毎に、少なくとも山折り状外側の帯状範囲を残して貼着され、長尺シートとの間で１または２以上の写真挿入部を形成する透明または半透明な写真押さえ片とを具備し、各頁における上記帯状範囲に記載欄が設けられていることを特徴とする。
【０００７】
請求項２の発明のアルバム台紙は、前記写真押さえ片が各頁における左右方向の中央部に貼着され、その写真押さえ片の両側に前記記載欄が設けられていることを特徴とする。
【０００８】
請求項３の発明のアルバム台紙は、前記写真挿入部が各頁毎に左右方向と直交する方向に複数設けられ、各写真挿入部に対して前記記載欄が配されていることを特徴とする。
【０００９】
請求項４の発明のアルバム台紙は、前記写真挿入部のそれぞれは写真挿入口を有し、その写真挿入口は見開き状態の２頁分の中心に位置する谷折り側に配されていることを特徴とする。
【００１０】
請求項５の発明のアルバム台紙は、前記各頁毎に、見開き状態の２頁分の中心に位置する谷折り側に綴じ穴が形成されていることを特徴とする。
【００１１】
請求項６の発明のアルバムは、請求項５に記載のアルバム台紙を綴じるファイルを備えることを特徴とする。
【００１２】
請求項７の発明のアルバム台紙製造方法は、請求項１乃至４のいずれかに記載のアルバム台紙を製造する方法であって、長尺シートが巻回されたロールから長尺シートを少しずつ解いて一定方向に送る工程と、透明または半透明の長尺な写真押さえ片用第２シートが巻回されたロールから第２シートを少しずつ解いて、その解いた第２シート部分を、上記一定方向に送られる長尺シート部分に対して重ねて貼着する貼着工程と、上記長尺シート部分に対して貼着された第２シート部分に、各頁毎の写真押さえ片を形成するための無端状の切り目を形成する工程と、上記切り目の内側第２シート部分を写真押さえ片として残して切り目外側部分を剥がす工程と、上記切り目外側部分が剥がされた長尺シートを、該切り目外側部分を一定間隔で交互に反対向きに折り畳み、各頁における写真押さえ片の少なくとも山折り側の帯状範囲に記載欄を設ける工程とを含むことを特徴とする。
【００１３】
請求項８の発明のアルバム台紙製造方法は、前記貼着工程よりも上流側で、前記一定方向に送られる長尺シート部分に対して前記第２シート貼着用の糊を付着させる工程を更に含むことを特徴とする。
【発明の効果】
【００１４】
請求項１の発明による場合には、交互に反対向きに折り畳まれた見開き可能な長尺シートの各頁毎に貼着された写真押さえ片の少なくとも山折り状外側の帯状範囲に記載欄が設けられているので、連続紙葉タイプのものにおいてその各頁毎の写真挿入部の傍に記載を行うことができる。
【００１５】
請求項２の発明による場合には、写真押さえ片の両側に設けられた記載欄に記載を行うことができる。
【００１６】
請求項３の発明による場合には、各頁毎に複数設けられた写真挿入部のそれぞれに対して記載を行うことができる。
【００１７】
請求項４の発明による場合には、見開き状態の２頁分の中心側に写真挿入口が配されているので、アルバム台紙を閉じてその背側（綴側）を持っても、写真が写真挿入部から抜け落ちることがない。
【００１８】
請求項５、６の発明による場合には、綴じ穴を用いてアルバム台紙をファイルに見開き可能に綴じることができる。
【００１９】
請求項７の発明方法による場合には、長尺シートを少しずつ解いて一定方向に送り、その長尺シートに対し第２シート部分を重ねて貼着し、その貼着した第２シート部分に無端状の閉じた切り目を形成して切り目外側部分を剥がすと、切り目の内側第２シート部分を残して各頁毎に写真押さえ片を形成できる。そして、その状態の長尺シートにおける前記切り目外側部分を一定間隔で交互に反対向きに折り畳むと、各頁における写真押さえ片の少なくとも山折り側の帯状範囲に記載欄を設けることができ、請求項１乃至４のいずれかに記載のアルバム台紙を製造することができる。
【００２０】
請求項８の発明方法による場合には、貼着工程よりも上流側で長尺シート部分に第２シート貼着用の糊を付着させるので、長尺シートと第２シートの取り扱いが容易になる。
【発明を実施するための最良の形態】
【００２１】
以下に、本発明の実施形態を具体的に説明する。
【００２２】
図１は本実施形態に係るアルバム台紙を示す外観斜視図であり、図２はそのアルバム台紙をファイルに綴じたアルバムを示す正面図である。
【００２３】
このアルバム台紙１は、連続紙葉タイプのものであって、左右方向に見開き可能なように折り畳まれた長尺シート２を有し、各頁の左右方向中央部には写真押さえ片３が貼着されていて、写真押さえ片３の外側、つまり右頁では右側、左頁では左側の帯状範囲４に記載欄５が設けられており、写真押さえ片３を挟んで記載欄５とは反対側には綴じ穴６が設けられている。なお、記載欄５は、本実施形態においては帯状範囲４全体が空白状で、罫線の無いものである。
【００２４】
上記長尺シート２は、例えば長尺の紙等からなり、その長手方向に沿って一定間隔で交互に反対向きに折り畳んだもので、見開き中央部には谷折り目２ａが、見開き外側、つまり右頁では右側、左側では左側には山折り目２ｂが形成されている。
【００２５】
写真押さえ片３は、例えば透明な樹脂製シート等からなる矩形状のもので、左右方向と直交する方向には、長尺シート２との間で構成される矩形状の写真挿入部３ａが複数、図示例では４つ設けられている。写真押さえ片３の長尺シート２への貼着は、各写真挿入部３ａの３方の糊付け部３ｂを介して行われている。上記３方は、谷折り目２ａ側を除く方向であり、具体的には上辺側と下辺側と山折り目２ｂとの方向であり、上記糊付け部３ｂは全体的には５本の櫛刃を有する櫛状のものである。よって、各写真挿入部３ａにおける糊付け部３ｂのない谷折り目２ａ側は、写真挿入口３ｃとなっている。このため、アルバムを閉じてその背側（綴側）を持っても、写真が写真挿入部３ａから抜け落ちることがない。なお、写真押さえ片３は透明でなくてもよく、写真挿入部３ａに挿入された写真を支障ない状態で見ることができる半透明なものでもよい。
【００２６】
上記写真押さえ片３の山折り目２ｂ側である頁外側は、前記記載欄５が設けられた帯状範囲４となっている。一方、写真押さえ片３の谷折り目２ａ側には、前記綴じ穴６が形成されており、その綴じ穴６は、各頁毎に複数、図示例では４つ設けられている。これら綴じ穴６には、例えばファイル７に綴じ穴６の数と同数で設けられた綴じ具７ａ、例えば開閉式リングを通すことで、折り畳まれた長尺シート２がファイリングされ、アルバムが構成される。なお、上記綴じ穴６を形成してある、写真押さえ片３の谷折り目２ａ側は空欄になっているので、この空欄部分も記載欄５と同様に記載欄として用いるようにしてもよい。また、ファイルは、その綴じ具が開閉式リング以外のものも使用できる。
【００２７】
次に、このように構成されたアルバム台紙の製造方法につき説明する。
【００２８】
図３は、アルバム台紙製造ラインを示す模式図である。
【００２９】
このアルバム台紙製造ライン１０の上流には、長尺シート２が巻回されたロール１１が、置き換え可能に配されていて、このロール１１から長尺シート２が少しずつ解かれて一定方向、図示例では右方向に送られ、糊付け工程Ａに設けた糊付けローラ１４で前記櫛状の糊付け部３ｂが形成された後、貼着工程Ｂ、切り目形成工程Ｃ、剥がし工程Ｄ及び折り畳み工程Ｅを経るようになっている。
【００３０】
この長尺シート２の送りラインとは別に、写真押さえ片用第２シート１２が巻回されたロール１３から第２シート１２を少しずつ解いていき、その解いた第２シート１２部分は、貼着工程Ｂにおいて、既に糊付け工程Ａで糊付けされた長尺シート２に重ねて貼着する。この貼着は、貼着工程Ｂに設けられた１対の合流プレス１５により行われる。なお、貼着工程Ｂよりも上流側で長尺シート２に第２シート１２貼着用の糊を付着させるので、長尺シート２と第２シート１２の取り扱いが容易になる。
【００３１】
次に、切り目形成工程Ｃへ送られて、ここで長尺シート２に貼着された第２シート１２に、各頁毎の写真押さえ片３を形成するための矩形状に閉じた無端状の切り目を形成する。この切り目は、図４に示すように、回転ローラ１６の表面に形成された矩形状の切り刃１６ａを用いて行われ、第２シート１２には切り刃１６ａに応じた形状の切り目１２ａが形成される。なお、切り目１２ａの深さは、長尺シート２に達しないようにする。
【００３２】
次に、剥がし工程Ｄへ送られて、ここで第２シート１２の切り目１２ａ内側部分を残して切り目１２ａ外側の余分な部分を剥がす。この余分な部分の剥がし動作は、第２シート１２の下流側を外側に引っ張りつつ巻回するロール１７により行われる。上記切り目１２ａ内側部分は写真押さえ片３となる。
【００３３】
次に、折り畳み工程Ｅへ送られ、ここで、切り目１２ａ外側の剥がされた部分を、一定間隔で交互に反対向きとなるように折り目ミシン１８により折り目（ミシン目を有する）を付けて折り畳む。つまり、山折りと谷折りとを交互に繰り返した折り目を付け、その後で下側に落下させることで折り畳む。なお、長尺シート２の切断は、折り畳み工程Ｅの直前のライン上で行ってもよく、或いは後述する綴じ穴６の形成後にバッチ的に行ってもよい。また、折り目は上記ミシン目を省略してもよい。
【００３４】
しかる後、折り畳まれたアルバム台紙における見開き状態で中央の谷折り目２ａ側となる箇所に綴じ穴６を形成する。この綴じ穴６の形成は、本実施形態では製造ラインにより折り畳んだ後に行うようにしているが、製造ラインの途中で行うようにしてもよい。
【００３５】
なお、上述した実施形態では記載欄及び記載欄として用いることができる、写真押さえ片の谷折り目側は、共に空欄にしているが、本発明はこれに限らず、罫線を引いた状態としても、或いは矩形状等の枠を設けた構成などとしてもよい。要は、メモ書きができるようになっていればよい。上記罫線及び枠の形成は、例えば糊付け工程Ａよりも上流側で印刷等により行うことができる。
【００３６】
また、上述した実施形態では写真押さえ片を各頁の左右中央部に貼着する構成としているが、本発明はこれに限らない。例えば、写真押さえ片を各頁の谷折り側に寄せた配置としてもよく、この場合において綴じ穴の部分に写真押さえ片の端が達するようにしてもよい。このように構成しても、写真押さえ片よりも外側の帯状範囲を記載欄として用いることができる。
【００３７】
更に、上述した実施形態では各写真挿入部の谷折り目側（各頁の内側）に写真挿入口を配した構成としているが、本発明はこれに限らない。例えば、写真の出し入れを容易にするために、写真挿入口を反対側、つまり各写真挿入部の山折り目側（各頁の外側）に配した構成としてもよい。
【００３８】
更にまた、上述した実施形態では各写真押さえ片の形状及び切り刃の形状を矩形状としているが、本発明はこれに限らない。例えば、ハート形や楕円形などの無端状としてもよい。このように形状を無端状とすることにより、剥がし工程において第２シートを剥がすことで写真押さえ片を容易に形成することができる。
【図面の簡単な説明】
【００３９】
【図１】本発明の一実施形態に係るアルバム台紙を示す外観斜視図である。
【図２】図１のアルバム台紙をファイルに綴じたアルバムを示す正面図である。
【図３】アルバム台紙製造ラインを示す模式図である。
【図４】切り刃と切り目との関係を説明するための斜視図である。
【符号の説明】
【００４０】
１    アルバム台紙
２    長尺シート
２ａ    谷折り目
２ｂ    山折り目
３    写真押さえ片
３ａ    写真挿入部
３ｂ    糊付け部
３ｃ    写真挿入口
４    帯状範囲
５    記載欄
６    綴じ穴
１０    アルバム台紙製造ライン
１１、１３    ロール
１２    写真押さえ片用第２シート
Ａ    糊付け工程
Ｂ    貼着工程
Ｃ    切り目形成工程
Ｄ    剥がし工程
Ｅ    折り畳み工程
【図１】
2006103085.tif 000003
【図２】
2006103085.tif 000004
【図３】
2006103085.tif 000005
【図４】
2006103085.tif 000006